(57)【要約】      （修正有）【課題】丁番コマの軸ネジの緩みの防止と、アガキの永続とを実現し、そしてスッキリしたデザインに仕上げる事。【解決手段】一枚コマ（２２）と、該一枚コマが挿入される凹部の突き当たり面に穿設されたコイルバネ収納用のメクラ穴（５３）と後部に固定部（５４）が設けられた二枚コマ（５０）と、該二枚コマ凹部突き当たり面に設けられたメクラ穴に嵌合するアガキを与える為のコイルバネ（６０）と、該コイルバネ先端に係着し、前記一枚コマ先端部に圧接する圧接小板（６５）と、前記一枚コマと前記二枚コマを軸支する軸ネジ（１０）と、前記二枚コマが合口部から挿入され二枚コマの上下面が密接される合口部が開口したメクラ穴を有するヨロイ（２０）又はテンプル（３０）と、を有する構造からなる。【選択図】図１
2011237749.tif 000002
【特許請求の範囲】
【請求項１】
軸ネジを介してヨロイとテンプルを連結する丁番であって、一枚コマと、該一枚コマが挿入される凹部の突き当たり面に穿設されたコイルバネ収納用のメクラ穴と後部に固定部が設けられた二枚コマと、該二枚コマ凹部突き当たり面に設けられたメクラ穴に嵌合するアガキを与える為のコイルバネと、該コイルバネ先端に係着し、前記一枚コマ先端部に圧接する圧接小板と、前記一枚コマと前記二枚コマを軸支する軸ネジと、前記二枚コマが合口部から挿入され二枚コマの上下面が密接される合口部が開口したメクラ穴を有するヨロイ又はテンプルと、を有する構造からなり、そして前記コイルバネと前記圧接小板により、テンプルを開らいた又は閉じた停止状態の際、そのそれぞれの停止状態を維持する様に、そしてテンプルが回動する際のアガキを永続させる様に、そして又、両コマに軸支された軸ネジの上下端部が密接にヨロイ又はテンプルのメクラ穴に固定される事により軸ネジの緩みと抜けを防止する様にされた事を特徴とする眼鏡の丁番構造。
【請求項２】
前記一枚コマがテンプル側又はヨロイ側端部に設けられ、前記二枚コマが相対するヨロイ側又はテンプル側である事を特徴とする請求項１記載の眼鏡の丁番構造。
【発明の詳細な説明】
【技術分野】
【０００１】本発明は眼鏡に使用される丁番の構造に関する。特にヨロイとテンプルを連結する為に軸ネジを有する丁番構造に関する。
【背景技術】
【０００２】従来、眼鏡のテンプルを回動させ折り畳みさせる為の丁番にネジを使用し、或いはバネ丁番にもネジを使用し、回動の際のアガキをネジの締め付けにより出される場合が殆どであった。テンプルを回動させる際には適宜アガキが無いと眼鏡が顔に落ち着かずフィット感が無い等からの理由からである。そこで本発明者は、特開２００６−２９３２５２の様にバネ力の付加と丁番コマの形状との組み合わせにより適宜アガキの常時付加を提案し且つ提供を図って来た。【０００３】
【特許文献１】特開２００６−２９３２５２
【発明の開示】
【発明が解決しようとする課題】
【０００４】しかしながら、特開２００６−２９３２５２の様にバネ力を常時付加し、丁番コマにアガキを与える事は成功したが、丁番コマのネジの緩みは使用するにしたがって生じ、ネジが抜け易い環境が生じていた。そして、又、ネジの頭が露出する事によるデザイン的なマイナス点も目に付き、スッキリしたデザインも望まれてきた。
【課題を解決するための手段】
【０００５】そこで、本発明に於いては、上記課題を解決する為に、軸ネジを介してヨロイとテンプルを連結する丁番であって、一枚コマと、該一枚コマが挿入される凹部の突き当たり面に穿設されたコイルバネ収納用のメクラ穴と後部に固定部が設けられた二枚コマと、該二枚コマ凹部突き当たり面に設けられたメクラ穴に嵌合するアガキを与える為のコイルバネと、該コイルバネ先端に係着し、前記一枚コマ先端部に圧接する圧接小板と、前記一枚コマと前記二枚コマを軸支する軸ネジと、前記二枚コマが合口部から挿入され二枚コマの上下面が密接される合口部が開口したメクラ穴を有するヨロイ又はテンプルと、を有する構造からなり、そして前記コイルバネと前記圧接小板により、テンプルを開らいた又は閉じた停止状態の際、そのそれぞれの停止状態を維持する様に、そしてテンプルが回動する際のアガキを永続させる様に、そして又、両コマに軸支された軸ネジの上下端部が密接にヨロイ又はテンプルのメクラ穴に固定される事により軸ネジの緩みと抜けを防止する様にされた事を特徴とする眼鏡の丁番構造の提供を図った。そして、前記一枚コマがテンプル側又はヨロイ側端部に設けられ、前記二枚コマが相対するヨロイ側又はテンプル側である様に、即ち、二枚コマがテンプル側でもヨロイ側のどちら側でも良い。
【発明の効果】
【０００６】上記構造を採用する事により、先ず、丁番コマを連結する軸ネジの頭と先端が、合口部が開口したメクラ穴を有するヨロイ又はテンプルと密に接する事によりネジの緩みや抜けが無くなった。次に、二枚コマの間のメクラ穴に設けられたバネと圧接小板とによる一枚コマへの摩擦接触によりアガキが生じそれがテンプル回動の際に働き、そして、テンプル開閉の際の停止状態の維持にも働き、眼鏡の掛け易さが増してきた。そして、又、軸ネジの頭部、ネジ先端が隠されデザイン的にもスッキリする様になった。
【図面の簡単な説明】
【０００７】
【図１】本発明の実施例の要部分解斜視図
【図２】本発明の実施例の組み立て斜視図
【図３】本発明の実施例の作用説明用の要部平面図
【図４】本発明の実施例の作用説明用の要部平面図
【図５】本発明の実施例の作用説明用の要部平面図
【発明を実施するための最良の形態】
【０００８】軸ネジを介してヨロイとテンプルを連結する丁番であって、一枚コマと、該一枚コマが挿入される凹部の突き当たり面に穿設されたコイルバネ収納用のメクラ穴と後部に固定部が設けられた二枚コマと、該二枚コマ凹部突き当たり面に設けられたメクラ穴に嵌合するアガキを与える為のコイルバネと、該コイルバネ先端に係着し、前記一枚コマ先端部に圧接する圧接小板と、前記一枚コマと前記二枚コマを軸支する軸ネジと、前記二枚コマが合口部から挿入され二枚コマの上下面が密接される合口部が開口したメクラ穴を有するヨロイ又はテンプルと、を有する構造からなり、そして前記コイルバネと前記圧接小板により、テンプルを開閉停止状態の際、その停止状態を維持する様に、そしてテンプルが回動する際のアガキを永続させる様に、そして又、両コマに軸支された軸ネジの上下端部が密接にヨロイ又はテンプルのメクラ穴に固定される事により軸ネジの緩みと抜けを防止する様にされた事を特徴とする眼鏡の丁番構造。
【実施例１】
【０００９】図１は本発明の実施例の要部分解斜視図であり、軸ネジ１０を介してヨロイ２０とテンプル３０を連結する丁番である。この図の場合であるとヨロイ側に設けられた一枚コマ２２と、該一枚コマ２２が挿入される凹部５１の突き当たり面５２に穿設されたコイルバネ収納用のメクラ穴５３と後部にテンプル内部に固定される固定部５４が設けられた二枚コマ５０と、該二枚コマ凹部突き当たり面に設けられたメクラ穴に嵌合するアガキを与える為のコイルバネ６０と、該コイルバネ先端に係着し、前記一枚コマ先端部に圧接する圧接小板６５と、前記一枚コマ２２と前記二枚コマ５０を軸支する軸ネジ１０と、前記二枚コマが合口部３２から挿入され二枚コマの上下面５５，５６が密接される合口部が開口したメクラ穴３３を有するテンプル３０と、を有する構造からなる。そして前記コイルバネ６０と前記圧接小板６５により、テンプルを開閉停止状態の際、その停止状態を維持する様に、そしてテンプルが回動する際のアガキを永続させる様に、そして又、両コマに軸支された軸ネジの上下端部が密接にヨロイ又はテンプルのメクラ穴に固定される事により軸ネジ１０の緩みと抜けを防止する様にされている。そしてこの軸ネジ１０は二枚コマ５０の高さと同じにされ、頭１１は二枚コマの上面５５に面一で、先端部１２は下面５６から出ない様に寸法が取られている。【００１０】図２は図１から組立てられた要部斜視図であり、丁番部の内側への出っ張りも無く、丁番の軸ネジ１０の頭部１１と先端部１２がテンプル３０内部のメクラ穴３３に密接に嵌合されている事によりテンプル表面に露出しないのでスッキリとしたデザインになっている。そのせいでネジの緩みと抜けも無くなった。【００１１】図３は要部断面平面図であり、テンプル３０が折り畳まれ閉じている状態で、眼鏡を掛けていない不使用の状態である。この場合でも図の矢印Ｍの方向に一枚コマ２２にテンションが掛かっている。だから、テンプルがバタつく事無く容器等に収納可能となる。勿論このコイルバネ６０は圧縮コイルバネで、所謂予備緊張状態、少し圧縮された状態でメクラ穴の中に収納されている。【００１２】図４はテンプル３０が折り畳まれた状態から外側に開くように約４５度回動した状態で、その際に一枚コマ２２の先端が圧接小板６５をＮ方向に押す様にする。そして、コイルバネ６０が圧縮され反発力Ｋにより、圧接小板６５が一枚コマ２２を押し、摩擦力が発生し、それがアガキとなる。【００１３】そして図５は、テンプルを開いて眼鏡を掛けられるようにした状態の平面図であり、そして、この様に掛けている状態に於いても、コイルバネ６０の押す力Ｊにより、常にテンションが掛かっているのでテンプル３０がバタつかずに、装着者の顔面又は頭部にしっかり保持される。そしてこのテンプル３０はテンプル合口部外側先端３７とヨロイ外側後端２１が合口部でぴったり合うので、外側への過開拡は生じない。したがってバネに過開拡の際の余分な力が加わらないので、傷み難く長持ちする事となる。【００１４】上記はテンプル側に二枚コマを収納するメクラ穴を設けた場合を実施例としてあげたが、その反対にヨロイ側に二枚コマを収納するメクラ穴を設けた構造でも勿論構わない。
【符号の説明】
【００１５】１０            軸ネジ
１１            軸ネジ頭部
１２            軸ネジ先端部
２０            ヨロイ
２１            ヨロイ外側後端
２２            一枚コマ
３０            テンプル
３３            テンプルメクラ穴
３７            テンプル合口部外側先端
５０            二枚コマ
５１            二枚コマ一枚コマ嵌合用凹部
５２            突き当たり面
５３            二枚コマメクラ穴
５５            二枚コマ上面
５６            二枚コマ下面
６０            コイルバネ
６５            圧接小板
７０            止めネジ
Ｌ              レンズ部
【図１】
2011237749.tif 000003
【図２】
2011237749.tif 000004
【図３】
2011237749.tif 000005
【図４】
2011237749.tif 000006
【図５】
2011237749.tif 000007